(57)【要約】【課題】既存の２本の物干し竿の間に架け渡される伸縮ポール部以外にも洗濯物を干すことができ、これによって物干しスペースを更に増やすことができる物干し竿補助ポールを提供する。【解決手段】互いに所定間隔を存して並設される既存の２本の物干し竿２，２´に交差するように配される伸縮自在な伸縮ポール部３と、この伸縮ポール部３の両端部に設けられて既存の物干し竿２，２´に掛け止め可能な掛止フック部４，４´とを備える物干し竿補助ポール１において、掛止フック部４，４´と対をなすように物干しフック部５，５´を設けるものとする。【選択図】図１
0003175421.tif 000002
【実用新案登録請求の範囲】
【請求項１】
互いに所定間隔を存して並設される既存の２本の物干し竿に交差するように配される伸縮自在な伸縮ポール部と、この伸縮ポール部の両端部に設けられて既存の物干し竿に掛け止め可能な掛止フック部とを備える物干し竿補助ポールにおいて、
前記掛止フック部と対をなすように物干しフック部を設けることを特徴とする物干し竿補助ポール。
【請求項２】
前記掛止フック部は、前記伸縮ポール部の軸線方向内側に屈曲された逆錨形状とされる請求項１に記載の物干し竿補助ポール。
【請求項３】
前記物干しフック部は、前記伸縮ポール部の軸線方向外側に屈曲された錨形状とされる請求項１または２に記載の物干し竿補助ポール。
【考案の詳細な説明】
【技術分野】
【０００１】
本考案は、既存の２本の物干し竿の間に架け渡して洗濯物干し場のスペースの有効活用に供する物干し竿補助ポールに関するものである。
【背景技術】
【０００２】
従来、ベランダなどで２本の物干し竿を平行に並べて配置し、各物干し竿に洗濯物を適当な間隔をあけて干すことが広く一般的に行われている。
住宅事情等によりベランダのスペースを広くとることが難しく、また既存の物干し竿のもつ長さには限界があるため、限られたスペースで、より多くの洗濯物を干すことが望まれている。
【０００３】
上記の要望を満たすものとして、例えば特許文献１にて提案されている物干し竿補助ポールがある。
【先行技術文献】
【特許文献】
【０００４】
【特許文献１】実用新案登録第３１２５５８９号公報
【０００５】
この特許文献１に係る物干し竿補助ポールは、互いに所定間隔を存して並設される既存の２本の物干し竿に交差するように配される伸縮自在な伸縮ポール部と、この伸縮ポール部の両端部に設けられて既存の物干し竿に掛け止め可能な掛止フック部とを備えて構成されている。
この物干し竿補助ポールによれば、隣り合う物干し竿の間に架け渡された伸縮ポール部に洗濯物を干すことができるので、物干しスペースを増やすことができる。
【０００６】
ところが、ベランダなどの限られた広さの洗濯物干し場において、更なる物干し可能なスペースの確保が望まれている。
【考案の概要】
【考案が解決しようとする課題】
【０００７】
本考案は、前述のような事情に鑑みてなされたもので、既存の２本の物干し竿の間に架け渡される伸縮ポール部以外にも洗濯物を干すことができ、これによって物干しスペースを更に増やすことができる物干し竿補助ポールを提供することを目的とするものである。
【課題を解決するための手段】
【０００８】
前記目的を達成するために、物干し竿補助ポールは、
互いに所定間隔を存して並設される既存の２本の物干し竿に交差するように配される伸縮自在な伸縮ポール部と、この伸縮ポール部の両端部に設けられて既存の物干し竿に掛け止め可能な掛止フック部とを備える物干し竿補助ポールにおいて、
前記掛止フック部と対をなすように物干しフック部を設けることを特徴とするものである（第１考案）。
【０００９】
本考案において、前記掛止フック部は、前記伸縮ポール部の軸線方向内側に屈曲された逆錨形状とされるのが好ましい（第２考案）。
【００１０】
本考案において、前記物干しフック部は、前記伸縮ポール部の軸線方向外側に屈曲された錨形状とされるのが好ましい（第３考案）。
【考案の効果】
【００１１】
本考案においては、掛止フック部と対をなして設けられる物干しフック部に衣類ハンガー等を介して洗濯物が掛けられるので、既存の２本の物干し竿の間に架け渡される伸縮ポール部以外にも洗濯物を干すことができる。したがって、物干しスペースを更に増やすことができ、洗濯物干し場のスペースをより有効に活用することができる。
【００１２】
第２考案の構成を採用することにより、既存の物干し竿に対し掛止フック部を外側からのアプローチによって容易に掛け止めることができる。
【００１３】
第３考案の構成を採用することにより、物干しフック部に対し洗濯物を外側からのアプローチによって容易に掛け止めることができる。
【図面の簡単な説明】
【００１４】
【図１】本考案の一実施形態に係る物干し竿補助ポールの使用状態の全体斜視図
【考案を実施するための形態】
【００１５】
次に、本考案よる物干し竿補助ポールの具体的な実施の形態について、図面を参照しつつ説明する。
【００１６】
＜物干し竿補助ポールの概略説明＞
図１に示されるように、本実施形態に係る物干し竿補助ポール１は、ベランダなどにおいて互いに所定間隔を存して平行に並設される既存の２本の物干し竿２，２´の間に架け渡して洗濯物干し場のスペースの有効活用に供するものであり、２本の物干し竿２，２´に直角に交差するように配される伸縮自在な伸縮ポール部３を備えている。
【００１７】
＜伸縮ポール部の説明＞
伸縮ポール部３は、テレスコピック構造（入れ子構造）を呈する外筒３ａと内筒３ｂとを有し、外筒３ａに対しその軸線方向に抜き差し可能に内筒３ｂが内蔵されて構成されている。なお、本実施形態では、外筒３ａおよび内筒３ｂをいずれも断面丸形状の筒部材で構成したが、これに限定されるものではなく、断面楕円形状の筒部材や断面多角形状の筒部材で構成してもよい。
【００１８】
＜掛止フック部の説明＞
伸縮ポール部３の一端部、言い換えれば外筒３ａの一端部には、一側の物干し竿２に掛け止められる一側の掛止フック部４が設けられている。同様に、伸縮ポール部３の他端部、言い換えれば内筒３ｂの他端部には、他側の物干し竿２´に掛け止められる他側の掛止フック部４´が設けられている。
掛止フック部４，４´は、伸縮ポール部３の軸線方向内側に屈曲された逆錨形状とされており、物干し竿２，２´に対し外側からのアプローチによって容易に掛け止めることができるようになっている。
【００１９】
＜物干しフック部の説明＞
掛止フック部４，４´には、当該掛止フック部４，４´と対をなすように物干しフック部５，５´が一体的に設けられている。
物干しフック部５，５´は、伸縮ポール部３の軸線方向外側に屈曲された錨形状とされており、洗濯物（図示省略）がかけられた衣類ハンガー６を外側からのアプローチによって容易に掛け止めることができるようになっている。
【００２０】
＜作用効果の説明＞
以上に述べたように構成される物干し竿補助ポール１においては、一側の物干し竿２と他側の物干し竿２´との間隔に合わせて伸縮ポール部３の伸縮操作を行い、一側の掛止フック部４を一側の物干し竿２に、他側の掛止フック部４´を他側の物干し竿２´に、それぞれ掛け止める。これにより、隣り合う２本の物干し竿２，２´に交差するように伸縮ポール部３が架け渡され、この伸縮ポール部３に衣類ハンガー６，６を介して洗濯物を干すことができる。
さらに、掛止フック部４，４´には物干しフック部５，５´が付設されているので、この物干しフック部５，５´に衣類ハンガー６，６を介して洗濯物を干すことができ、伸縮ポール部３以外にも洗濯物を干すことができる。したがって、物干しスペースを更に増やすことができ、洗濯物干し場のスペースをより有効に活用することができる。
【００２１】
以上、本考案の物干し竿補助ポールについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２２】
本考案の物干し竿補助ポールは、既存の２本の物干し竿の間に架け渡される伸縮ポール部以外にも洗濯物を干すことができ、これによって物干しスペースを更に増やすことができるという特性を有していることから、洗濯物干し場のスペースの有効活用の用途に好適に用いることができる。
【符号の説明】
【００２３】
１          物干し竿補助ポール
２，２´    物干し竿
３          伸縮ポール部
３ａ        外筒
３ｂ        内筒
４，４´    掛止フック部
５，５´    物干しフック部
６          衣類ハンガー
【図１】
0003175421.tif 000003